【手続補正書】
【提出日】平成20年3月11日(2008.3.11)
【手続補正１】
【補正対象書類名】特許請求の範囲
【補正対象項目名】全文
【補正方法】変更
【補正の内容】
【特許請求の範囲】
【請求項１】
プログラムが格納される記憶部と、前記プログラムを実行する制御部と、通信機能を有する通信部とを備える複数の移動局と、
前記複数の移動局との通信機能を有する通信部と、前記プログラムを修正する、もしくは、前記プログラムの動作を修正するための修正情報が予め格納される記憶部とを備える基地局とからなる無線通信システムであって、
前記基地局の前記通信部は、前記修正情報を複数のブロックに分割し、分割された前記修正情報の各ブロックに識別情報を付し、分割された前記修正情報の全ブロックを前記複数の移動局に繰り返し送信し、
前記移動局の前記通信部は、前記修正情報の全ブロックの受信完了に応じて、前記基地局に受信完了を通知し、
前記基地局の前記通信部は、全ての前記移動局からの受信完了の通知に応じて、前記修
正情報の送信を停止し、
前記複数の移動局の前記制御部は、前記移動局の前記通信部によって受信された前記修
正情報に基づいて、前記移動局の前記記憶部に格納される前記プログラム、もしくは、前
記プログラムの動作を変更することを特徴とする無線通信システム。
【請求項２】
プログラムが格納される記憶部と、前記プログラムを実行する制御部と、通信機能を有
する通信部とを備える複数の移動局と、
前記複数の移動局との通信機能を有する通信部と、前記プログラムを修正する、もしく
は、前記プログラムの動作を修正するための修正情報が予め格納される記憶部とを備える
基地局とからなる無線通信システムであって、
前記基地局の前記通信部は、前記修正情報を複数のブロックに分割し、分割された前記
修正情報の各ブロックに識別情報を付し、分割された前記修正情報の全ブロックを前記複
数の移動局に送信し、
前記移動局の前記通信部は、正常受信できなかった未受信ブロックを前記基地局に通知
し、
前記基地局の前記通信部は、前記未受信ブロックの通知を行った当該移動局に対して、
前記未受信ブロックの通知がなくなるまで、前記未受信ブロックの送信を繰り返し、
前記複数の移動局の前記制御部は、前記移動局の前記通信部により受信された前記修正情
報に基づいて、前記移動局の前記記憶部に格納される前記プログラムもしくは、前記プロ
グラムの動作を変更することを特徴とする無線通信システム。
【請求項３】
請求項２において、
前記基地局の前記通信部は、前記複数の移動局に正常受信できなかった未受信ブロック
の通知を要求することを特徴とする無線通信システム。
【請求項４】
請求項２、又は、請求項３において、
前記基地局の前記通信部は、前記修正情報を複数のブロックに分割し、分割された前記
修正情報の全ブロックを前記複数の移動局に複数回送信することを特徴とする無線通信シ
ステム。
【請求項５】
請求項４において、
前記移動局の前記通信部は、前記修正情報の全ブロックの受信完了に応じて、前記基地局に受信完了を通知し、
前記基地局の前記通信部は、受信完了した前記移動局の数に応じて、前記修正情報の全
ブロックの、前記複数の移動局に対する送信の回数を決定することを特徴とする無線通信
システム。
【請求項６】
請求項２乃至５のいずれかにおいて、
前記移動局の前記通信部は、他の前記移動局に対して送信された前記修正情報のブロッ
クが、当該移動局の前記未受信ブロックである場合に、受信することを特徴とする無線通
信システム。
【請求項７】
請求項１乃至６のいずれかにおいて、
前記移動局は、当該移動局の位置が前記基地局からの信号の届きにくい位置にあるかどうかを判定する判定部と、メッセージを出力する表示部を備え、
前記移動局の前記表示部は、前記判定部が当該移動局の位置が信号の届きにくい位置にあ
ると判定した場合、移動を促すメッセージを表示することを特徴とする無線通信システム。
【請求項８】
請求項１乃至７のいずれかにおいて、
前記移動局は、前記修正情報の受信の開始から終了までの間に、電源の停止の操作が行われた場合に、前記修正情報の受信を継続することを特徴とする無線通信システム。
【請求項９】
請求項８において、
前記移動局は表示部を有し、
前記移動局の表示部は、前記修正情報の受信の開始から終了までの間に、電源の停止の操作が行われた場合に、前記修正情報の受信中であることをメッセージとして表示することを特徴とする無線通信システム。
【請求項１０】
プログラムが格納される記憶部と、前記プログラムを実行する制御部と、通信機能を有
する通信部とを備える複数の移動局と、
前記複数の移動局との通信機能を有する通信部と、前記プログラムを修正する、もしく
は、前記プログラムの動作を修正するための修正情報が予め格納される記憶部とを備える
基地局とからなる無線通信システムにおけるプログラム変更方法であって、
前記基地局の前記通信部によって、前記修正情報を複数のブロックに分割し、分割され
た前記修正情報の各ブロックに識別情報を付し、分割された前記修正情報の全ブロックを
前記複数の移動局に繰り返し送信する送信工程と、
前記移動局の前記通信部によって、前記修正情報の全ブロックの受信完了に応じて、前
記基地局に受信完了を通知する通知工程と、
前記基地局の前記通信部によって、全ての前記移動局からの受信完了の通知に応じて、
前記修正情報の送信を停止する停止工程と、
前記複数の移動局の前記制御部によって、前記移動局の前記通信部によって受信された
前記修正情報に基づいて、前記移動局の前記記憶部に格納される前記プログラム、もしく
は、前記プログラムの動作を変更する変更工程とを有することを特徴とするプログラム変
更方法。
【請求項１１】
プログラムが格納される記憶部と、前記プログラムを実行する制御部と、通信機能を有
する通信部とを備える複数の移動局と、
前記複数の移動局との通信機能を有する通信部と、前記プログラムを修正する、もしく
は、前記プログラムの動作を修正するための修正情報が予め格納される記憶部とを備える
基地局とからなる無線通信システムにおけるプログラム変更方法であって、
前記基地局の前記通信部によって、前記修正情報を複数のブロックに分割し、分割され
た前記修正情報の各ブロックに識別情報を付し、分割された前記修正情報の全ブロックを
前記複数の移動局に送信する送信工程と、
前記移動局の前記通信部によって、正常受信できなかった未受信ブロックを前記基地局
に通知する通知工程と、
前記基地局の前記通信部によって、前記未受信ブロックの通知を行った当該移動局に対
して、前記未受信ブロックの通知がなくなるまで、前記未受信ブロックの送信を繰り返す
再送信工程と、
前記複数の移動局の前記制御部によって、前記移動局の前記通信部により受信された前記
修正情報に基づいて、前記移動局の前記記憶部に格納される前記プログラムもしくは、前
記プログラムの動作を変更する変更工程とを有することを特徴とするプログラム変更方法。
【請求項１２】
プログラムが格納される記憶部と、前記プログラムを実行する制御部と、通信機能を有
する通信部とを備える複数の移動局と、
前記複数の移動局との通信機能を有する通信部と、前記プログラムを修正する、もしく
は、前記プログラムの動作を修正するための修正情報が予め格納される記憶部とを備える
基地局とからなる無線通信システムにおける基地局であって、
前記基地局の前記通信部は、前記修正情報を複数のブロックに分割し、分割された前記
修正情報の各ブロックに識別情報を付し、分割された前記修正情報の全ブロックを前記複
数からなる全ての移動局が受信を完了するまで繰り返し送信することを特徴とする無線通
信システムにおける基地局。
【請求項１３】
プログラムが格納される記憶部と、前記プログラムを実行する制御部と、通信機能を有
する通信部とを備える複数の移動局と、
前記複数の移動局との通信機能を有する通信部と、前記プログラムを修正する、もしく
は、前記プログラムの動作を修正するための修正情報が予め格納される記憶部とを備える
基地局とからなる無線通信システムにおける基地局であって、
前記基地局の前記通信部は、前記修正情報を複数のブロックに分割し、分割された前記
修正情報の各ブロックに識別情報を付し、分割された前記修正情報の全ブロックを前記複
数の移動局に送信するとともに、前記移動局からの未受信ブロックの通知がある場合に、
該通知がなくなるまで、前記未受信ブロックの送信を繰り返すことを特徴とする無線通信
システムにおける基地局。
【請求項１４】
プログラムが格納される記憶部と、前記プログラムを実行する制御部と、通信機能を有
する通信部とを備える複数の移動局と、
前記複数の移動局との通信機能を有する通信部と、前記プログラムを修正する、もしく
は、前記プログラムの動作を修正するための修正情報が予め格納される記憶部とを備える
基地局とからなる無線通信システムにおける移動局であって、
前記移動局の前記制御部は、前記移動局の前記通信部によって受信された前記修正情報
の未受信ブロックがある場合に、該未受信ブロックを基地局に通知することを特徴とする
無線通信システムにおける移動局。
【請求項１５】
プログラムが格納される記憶部と、前記プログラムを実行する制御部と、通信機能を有
する通信部とを備える複数の移動局と、
前記複数の移動局との通信機能を有する通信部と、前記プログラムを修正する、もしく
は、前記プログラムの動作を修正するための修正情報が予め格納される記憶部とを備える
基地局とからなる無線通信システムにおける基地局のプログラム送信方法であって、
前記基地局の前記通信部によって、前記修正情報を複数のブロックに分割し、分割され
た前記修正情報の各ブロックに識別情報を付し、分割された前記修正情報の全ブロックを
前記複数の移動局に繰り返し送信する送信工程と、
前記基地局の前記通信部によって、全ての前記移動局からの受信完了の通知に応じて、
前記修正情報の送信を停止する停止工程とを有することを特徴とする無線通信システムに
おける基地局のプログラム送信方法。
【請求項１６】
プログラムが格納される記憶部と、前記プログラムを実行する制御部と、通信機能を有
する通信部とを備える複数の移動局と、
前記複数の移動局との通信機能を有する通信部と、前記プログラムを修正する、もしく
は、前記プログラムの動作を修正するための修正情報が予め格納される記憶部とを備える
基地局とからなる無線通信システムにおける基地局のプログラム送信方法であって、
前記基地局の前記通信部によって、前記修正情報を複数のブロックに分割し、分割され
た前記修正情報の各ブロックに識別情報を付し、分割された前記修正情報の全ブロックを
前記複数の移動局に送信する送信工程と、
前記移動局からの未受信ブロックの通知がある場合に、該通知がなくなるまで、前記未
受信ブロックの送信を繰り返す再送信工程とを有することを特徴とする無線通信システム
における基地局のプログラム送信方法。